(57)【要約】【課題】安全性を低下させることなく、また、散布量を増やすことなく、薬液等を農作物の上部（葉等の上面）だけでなく、下部（葉等の裏面）にも十分に付着させることができるようにされた静電付与式散布機を提供する。【解決手段】ノズルブーム等の主管（１２）に所定間隔をあけて噴霧ノズル（２０）が配在されるとともに、該噴霧ノズル（２０）から噴霧される薬液等に静電付与電極（３０）からの電荷を付与するようにされてなる静電付与式散布機（１０）において、前記主管（１２）に所定間隔をあけて連接管（１５）が連結ないし吊持され、該連接管（１５）に前記噴霧ノズル（２０）の噴射方向（Ｓ）が鉛直線（ｇ）に対して所定角度（α）傾斜せしめられた状態で取り付けられてなる。【選択図】  図１
2005087067.tif 000002
【特許請求の範囲】
【請求項１】
ノズルブーム等の主管（１２）に所定間隔を置いて噴霧ノズル（２０）が配在されるとともに、該噴霧ノズル（２０）から噴霧される薬液等に静電付与電極（３０）からの電荷を付与するようにされてなる静電付与式散布機（１０）において、
前記主管（１２）に所定間隔を置いて連接管（１５）が連結ないし吊持され、該連接管（１５）に前記噴霧ノズル（２０）が取り付けられていることを特徴とする静電付与式散布機。
【請求項２】
前記連接管（１５）は、前記主管（１２）から垂下せしめられ、前記噴霧ノズル（２０）の噴射方向（Ｓ）は、鉛直線（ｇ）に対して所定角度（α）傾斜せしめられていることを特徴とする請求項１に記載の静電付与式散布機。
【請求項３】
前記一つの連接管（１５）に対して左右一対の前記噴霧ノズル（２０、２０）が取り付けられていることを特徴とする請求項１又は２に記載の静電付与式散布機。
【請求項４】
前記連接管（１５）の下端部にノズル連結保持体（１６）が取り付けられ、該ノズル連結保持体（１６）に左右一対の前記噴霧ノズル（２０、２０）が取り付けられていることを特徴とする請求項１から３のいずれか一項に記載の静電付与式散布機。
【請求項５】
前記主管（１２）に前記連接管（１５）を介して第一段目の噴霧ノズル（２０）が取り付けられるとともに、該第一段目の噴霧ノズル（２０）の下側に第二段目の噴霧ノズル（２０）が取り付けられていることを特徴とする請求項１から４のいずれか一項に記載の静電付与式散布機。
【請求項６】
前記一つの噴霧ノズル（２０）に対して上下一対の前記静電付与電極（３０、３０）が対向配置されていることを特徴とする請求項１から５のいずれか一項に記載の静電付与式散布機。
【請求項７】
前記連接管（１５）、前記噴霧ノズル（２０）、及び前記ノズル連結保持体（１６）のいずれかに、前記静電付与電極（３０）に高電圧パルスを供給するための昇圧トランス（４０）が取り付けられていることを特徴とする請求項１から６のいずれか一項に記載の静電付与式散布機。
【発明の詳細な説明】
【技術分野】
【０００１】
本発明は、静電付与式散布機に係り、特に、走行式ブームスプレーヤのノズルブーム等の主管に、所定間隔を置いて噴霧ノズルが配在されるとともに、該噴霧ノズルから噴霧される農薬、肥料等（以下、薬液等と称する）に静電付与電極からの電荷を付与するようにされた静電付与式散布機に関する。
【背景技術】
【０００２】
例えば、下記特許文献１，２にも見られるように、走行式ブームスプレーヤの左右方向に伸びるノズルブーム等の主薬液管に、所定間隔を置いて噴霧ノズルを直接下向きに（鉛直線に沿うように）取り付けるとともに、該噴霧ノズルの噴射口付近に静電付与電極を配置し、該静電付与電極に高電圧パルスを供給することによって、前記噴霧ノズルから噴射された霧化状態の薬液等に電荷を付与するようにされた静電付与式散布機は、知られている。
【０００３】
かかる静電付与式散布機においては、通常、例えば図３に示される如くの静電付与回路を備えている。図示の静電付与回路１においては、バッテリ２を電源として駆動されるトリガ回路３が出力するパルスにより、前記バッテリ２に接続されたトランジスタ４を駆動し、このトランジスタ４が出力するパルス電圧を昇圧トランス５により昇圧し、整流ダイオード６を通して静電付与電極７に高電圧パルスを供給するようになっている。なお、前記トリガー回路３としては、内燃機関の回転に同期してトリガコイルが誘起するトリガ電圧を出力するトリガ電圧回路や発信回路等が用いられる。
【０００４】
このような構成とされた静電付与式散布機では、通常、前記主薬液管（前記噴霧ノズル）を農作物の上方に配在した状態で、該主薬液管全体（機体）を前後方向に移動（走行）させながら噴霧作業を行うようにされ、その際、前記噴霧ノズルの噴射口から扇形状あるいはコーン状に噴射拡散された霧化状態の薬液等に、前記静電付与電極からの高電圧の電荷が付与されるので、その静電付着効果により、農作物に対して薬液等の付着性が向上し、前記農作物の葉等に付いた害虫の駆除効果や殺菌効果等を高めることができるとともに、薬液等の単位面積当たりの散布量を少なくすることが可能となる。
【特許文献１】特開２００１−２３２２５５号公報（第１〜６頁、図１〜図４）
【特許文献２】特開２００１−３００３６２号公報（第１〜４頁、図１〜図４）
【発明の開示】
【発明が解決しようとする課題】
【０００５】
しかしながら、前記した如くの従来の静電付与式散布機においては、主薬液管に噴霧ノズルが直接下向きに取り付けられて、薬液等を農作物の上方から噴霧するようにされているので、前記噴霧ノズルから噴霧された薬液等は、農作物の上部には付着しやすいが、農作物の下部には付着しにくい。特に、ネギや稲等の背丈の高い農作物では、上部（葉等の上面）の付着性は良好であるが、下部（葉等の裏面）の付着性が悪く、葉等の表裏（あるいは上下）で付着量が大きくばらついてしまい、害虫の駆除効果や殺菌効果を十分には得られないという問題があった。
【０００６】
この場合、例えば、前記静電付与電極に供給する電圧をより高くすれば、噴霧薬液等が葉の裏面にまで回り込みやすくなり、付着性が向上するが、前記静電付与電極に供給する電圧を高くすると、感電事故等が起こりやすくなり、安全性が低下してしまう。
【０００７】
本発明は、前記問題を解消すべくなされたもので、その目的とするところは、安全性を低下させることなく、また、散布量を増やすことなく、薬液等を農作物の上部（葉等の上面）だけでなく、下部（葉等の裏面）にも十分に付着させることができるようにされた静電付与式散布機を提供することにある。
【課題を解決するための手段】
【０００８】
前記の目的を達成すべく、本発明に係る静電付与式散布機は、基本的には、ノズルブーム等の主管に所定間隔を置いて噴霧ノズルが配在されるとともに、該噴霧ノズルから噴霧される薬液等に静電付与電極からの電荷を付与するようにされ、前記主管に所定間隔を置いて連接管が連結ないし吊持され、該連接管に前記噴霧ノズルが取り付けられていることを特徴としている。
【０００９】
好ましい態様では、前記連接管は、前記主管から垂下せしめられ、前記噴霧ノズルの噴射方向は、鉛直線に対して所定角度傾斜せしめられる。
他の好ましい態様では、前記一つの連接管に対して左右一対の前記噴霧ノズルが取り付けられ、また、別の好ましい態様では、前記連接管の下端部にノズル連結保持体が取り付けられ、該ノズル連結保持体に左右一対の前記噴霧ノズルが取り付けられる。
【００１０】
さらに、他の好ましい態様では、前記主管に前記連接管を介して第一段目の噴霧ノズルが取り付けられるとともに、該第一段目の噴霧ノズルの下側に第二段目の噴霧ノズルが取り付けられる。
【００１１】
また、他の別の好ましい態様では、前記一つの噴霧ノズルに対して上下一対の前記静電付与電極が対向配置され、さらに別の態様では、前記連接管、前記噴霧ノズル、及び前記ノズル連結保持体のいずれかに、前記静電付与電極に高電圧パルスを供給するための昇圧トランスが取り付けられる。
【発明の効果】
【００１２】
本発明に係る静電付与式散布機では、ノズルブーム等の主管に所定間隔をあけて連接管が連結ないし吊持され、該連接管に噴霧ノズルの噴射方向が鉛直線に対して所定角度傾斜せしめられた状態で取り付けられるので、薬液等を農作物の側方から横向きないし斜め下向きに噴霧することができる。このため、農作物がネギや稲等の背丈の高いものであっても、薬液等を農作物の上部（葉等の上面）だけでなく、下部（葉等の裏面）にも必要十分に、かつ、均一に付着させることができ、その結果、害虫の駆除効果や殺菌効果が十分に得られ、薬液等の単位面積当たりの散布量を少なくすることが可能となる。
【００１３】
また、静電付与電極に供給する電圧を大きく上げる必要がないので、安全性を低下させることはなく、しかも、装置コストを低く抑えることができる。
さらに、一つの連接管に対して左右一対の噴霧ノズルが配設されるので、畝に植えられた農作物の両側から薬液等を合理的に効率よく散布することができる。
【発明を実施するための最良の形態】
【００１４】
以下、本発明の実施の形態を図面を参照しながら説明する。
図１は、本発明に係る静電付与式散布機の一実施形態により薬液散布作業を行っている様子を示している。
【００１５】
図に示される静電付与式散布機１０は、図示しない自走式機体に備えられた薬液タンクからポンプにより圧送される薬液を、後述する噴霧ノズル２０に供給するための、主薬液管とされるノズルブーム１２を備える。このノズルブーム１２は、左右方向に伸びる水平状態（散布作業時）と該水平状態から９０°旋回させた垂直状態とを選択的にとり得るようにされ、かつ、前記水平状態での高さ位置を農作物（ここではネギ）Ｃの背丈等に合わせて調節（昇降）できるようになっている。
【００１６】
前記ノズルブーム１２には、長さ方向（左右方向）に沿って所定間隔をあけて所定数の連接管１５が、分岐接続具１４を介して吊持されている。この連接管１５は、散布作業時には、図示のように前記ノズルブーム１２から垂下せしめられ、前記ノズルブーム１２が垂直状態にされたとき、該ノズルブーム１２に沿うように畳まれる。
【００１７】
前記各連接管１５の下端部には、逆Ｔ字状のノズル連結保持体１６が取り付けられ、該ノズル連結保持体１６の下部の左右に、それぞれ前記噴霧ノズル２０が取り付けられている。
【００１８】
以上の連接管１５、ノズル連結保持体１６、及び左右一対の噴霧ノズル２０、２０は、第一段目を構成し、この第一段目のノズル連結保持体１６の下端部には、第二段目の連接管１５が連結され、この連接管１５に、第一段目と同様に、前記と同一のノズル連結保持体１６及び左右一対の噴霧ノズル２０、２０が取り付けられている。
ここでは、前記各噴霧ノズル２０の噴射方向Ｓは、鉛直線ｇに対して所定角度α（例えば、約６０°）傾斜せしめられている。
【００１９】
前記第一段目の左右一対の噴霧ノズル２０、２０には、前記ノズルブーム１２、前記分岐接続具１４、前記連接管１５、及び前記ノズル連結保持体１６を介して薬液が圧送され、さらに、前記第二段目の左右一対の噴霧ノズル２０、２０にも、前記第一段目のノズル連結保持体１６の底部から第二段目の前記連接管１５及び前記ノズル連結保持体１６（底部は図示しない盲栓で塞がれている）を介して薬液が圧送され、前記各噴霧ノズル２０からは、中心角θが、例えば、約８０°の扇形状（あるいはコーン状）に薬液が噴射拡散され、この噴射拡散された霧化状態の薬液（薬液噴霧Ｐ）が農作物Ｃに吹き付けられるようになっている。
【００２０】
そして、前記各噴霧ノズル２０から噴射拡散された薬液噴霧Ｐに電荷を付与すべく、前記噴霧ノズル２０と平行に上下一対の静電付与電極３０、３０が対向配置されている。この静電付与電極３０は、図２を参照すればよくわかるように、電極棒３２と、該電極棒３２が挿着された絶縁材料からなる電極カバー３４と、を備え、前記電極棒３２の先尖一端部（先端部）３２ａは、前記電極カバー３４の先端部３４ａ（水切りのため、斜めにカットされている）から露出せしめられ、また、前記電極棒３２の他端に形成され先尖細径部３２ｂは、前記電極カバー３４の後端部３４ｂに液密的に嵌入された高圧電気コード４５に、機械的かつ電気的に接続されている。前記電極カバー３４は、前記噴霧ノズル２０に固着された取付板２８に形成された挿通穴２８ａに挿入されて、前記電極カバー３４の外周に螺合せしめられた一対のナット３６、３６により、前記取付板２８に固定保持されている。この場合、前記電極棒３２の先端部３２ａが、前記薬液噴霧Ｐの側端縁Ｐａ近傍に配置されるように、前記静電付与電極３０の前記取付板２８に対する取り付け位置が調節される。
【００２１】
なお、前記静電付与電極３０は、一つの噴霧ノズル２０に対して一本あれば良いが、図示例の如く、上下一対設けることにより、電場を上下方向に広げることができ、薬液の付着効率が一層高まり、好適である。
【００２２】
また、前記第一段目及び第二段目のノズル連結保持体１６、１６における前後の側面には、それぞれ前記各静電付与電極３０、３０に２２〜２３ｋＶ程度の高電圧パルスを供給するための、昇圧トランス４０が取り付けられている。前記静電付与電極３０（の前記電極棒３２）には、漏電や電圧低下を極力低減せしめるために、極短い前記高圧コード４５及び整流ダイオード（図示せず）を介して前記昇圧トランス４０の二次側コイルが接続されている。さらに、前記昇圧トランス４０の一次側コイルは、低圧ケーブル４４を介して、図３に示される如くの、機体側に配備されたコントロールニット（図示せず）に接続されている。
【００２３】
このような構成とされた本実施形態の静電付与式散布機１０では、図２に示される如くに、前記左右一対の噴霧ノズル２０、２０が、農作物Ｃの上部の側方（左右の農作物Ｃの間、つまり、畝間）に位置するように、前記ノズルブーム１２の高さ位置及び水平方向の位置を調節した状態で、該ノズルブーム１２（機体）を前後方向に移動（走行）させながら薬液散布作業を行うようにされ、その際、前記噴霧ノズル２０から扇形状あるいはコーン状に噴射拡散された霧化状態の薬液噴霧Ｐに、前記静電付与電極３０からの電荷が効果的に付与される。
【００２４】
この場合、薬液は、農作物Ｃに対して左右両側方から扇形状あるいはコーン状に噴霧されるので、農作物Ｃがネギや稲等の背丈の高いものであっても、薬液を農作物Ｃの上部（葉等の上面）だけでなく、下部（葉等の裏面）にも必要十分に、かつ、均一に付着させることができ、その結果、害虫の駆除効果や殺菌効果を十分に得られ、薬液等の単位面積当たりの散布量を少なくすることが可能となる。
【００２５】
また、静電付与電極に供給する電圧を大きく上げる必要がないので、安全性を低下させることはなく、しかも、装置コストを低く抑えることができる。
さらに、一つの連接管１５に対して左右一対の噴霧ノズル２０、２０が配設されるので、畝に植えられた農作物Ｃに対して薬液を合理的に効率よく散布することができる。
【００２６】
以上、本発明の実施形態について詳述したが、本発明は、前記実施形態に限定されるものではなく、特許請求の範囲に記載された発明の精神を逸脱しない範囲で、設計において、種々の変更ができるものである。
【図面の簡単な説明】
【００２７】
【図１】本発明に係る静電付与式散布機の一実施形態により薬液散布作業を行っている様子を示す図。
【図２】図１に示される静電付与式散布機で用いられている噴霧ノズル及び静電付与電極周辺部の部分切欠拡大図。
【図３】静電付与式散布機に備えられる静電付与回路の一例を示す回路図。
【符号の説明】
【００２８】
１０  …静電付与式散布機
１２  …ノズルブーム（主管）
１５  …連接管
１６  …ノズル連結保持体
２０  …噴霧ノズル
３０  …静電付与電極
４０  …昇圧トランス
ｇ  …鉛直線
α  …噴霧ノズルの傾斜角度
Ｓ  …噴射方向
【図１】
2005087067.tif 000003
【図２】
2005087067.tif 000004
【図３】
2005087067.tif 000005